(57)【要約】【課題】  内円筒体を軒樋の下方から取り付けることができる自在ドレンを提供する。【解決手段】  外周面に雄ねじが設けられた円筒の上縁外周にフランジが設けられた内円筒体と、内周面に雌ねじが設けられた円筒の上縁外周にフランジが設けられた外円筒体とからなり、前記内円筒体の雄ねじに前記外円筒体の雌ねじをねじ込み、両円筒体のフランジ間にて軒樋の底部に形成された排水孔の周縁部を挟持するようにした自在ドレンにおいて、前記内円筒体のフランジに、外周縁から円筒側に向かって切り欠き溝が設けられている。【選択図】  図５
2005344470.tif 000002
【特許請求の範囲】
【請求項１】
外周面に雄ねじが設けられた円筒の上縁外周にフランジが設けられた内円筒体と、内周面に雌ねじが設けられた円筒の上縁外周にフランジが設けられた外円筒体とからなり、前記内円筒体の雄ねじに前記外円筒体の雌ねじをねじ込み、両円筒体のフランジ間にて軒樋の底部に形成された排水孔の周縁部を挟持するようにした自在ドレンにおいて、前記内円筒体のフランジに、外周縁から円筒側に向かって切り欠き溝が設けられていることを特徴とする自在ドレン。
【請求項２】
外円筒体のフランジ外径が内円筒体のフランジ外径よりも大きくされていることを特徴とする請求項１記載の自在ドレン。
【発明の詳細な説明】
【技術分野】
【０００１】
本発明は、軒樋の底部に取り付けられる自在ドレンに関する。
【背景技術】
【０００２】
軒樋用の自在ドレンとして、ねじ込み方式のものが使用されている。この自在ドレンは、外周面に雄ねじが設けられた円筒の上縁外周にフランジが設けられた内円筒体と、内周面に雌ねじが設けられた円筒の上縁外周にフランジが設けられた外円筒体とからなり、前記内円筒体の雄ねじに前記外円筒体の雌ねじをねじ込むようにしたものである（例えば、特許文献１参照。）。
【０００３】
この自在ドレンを軒樋の底部に取り付けるには、軒樋の底部に設けられた取付孔に、軒樋の上方から内円筒体を挿入し、この内円筒体の雄ねじに軒樋の下方から外円筒体の雌ねじをねじ込むことにより、自在ドレンが軒樋の底部に取り付けられる。
【特許文献１】実用新案登録第２６０１３７６号公報
【発明の開示】
【発明が解決しようとする課題】
【０００４】
しかしながら特許文献１に記載された自在ドレンの場合、軒樋の底部のドレン取り付け位置に取付孔を設け、軒樋の上方から内円筒体を取付孔に装着し、次いで、軒樋の下方から外円筒体を止め付ける作業となっている。通常、軒樋は高所に取り付けられるから、上記の作業は高所作業となり危険が伴う。更に、軒樋が前高とされて化粧されていたり、水切り段差が設けられたりしている場合は、軒樋の前面を越して、その上から排水孔に内円筒体を取り付けなければならず、直接排水孔を見ながら内円筒体を排水孔に挿入し難いために、この作業は益々困難なものになっているのみならず、挿入した内円筒体のフランジを押さえながら、外円筒体をねじ込むことも難しいものであった。
【０００５】
本発明の目的は、内円筒体を軒樋の下方から取り付けることができる自在ドレンを提供することである
【課題を解決するための手段】
【０００６】
請求項１記載の発明は、外周面に雄ねじが設けられた円筒の上縁外周にフランジが設けられた内円筒体と、内周面に雌ねじが設けられた円筒の上縁外周にフランジが設けられた外円筒体とからなり、前記内円筒体の雄ねじに前記外円筒体の雌ねじをねじ込み、両円筒体のフランジ間にて軒樋の底部に形成された排水孔の周縁部を挟持するようにした自在ドレンにおいて、前記内円筒体のフランジに、外周縁から円筒側に向かって切り欠き溝が設けられていることを特徴とする。
【０００７】
請求項２記載の発明は、請求項１記載の自在ドレンにおいて、外円筒体のフランジ外径が内円筒体のフランジ外径よりも大きくされていることを特徴とする。
【０００８】
本発明の自在ドレンが適用される軒樋の材質は、軒樋の底面が平面状であれば、合成樹脂、金属のどちらでもよい。
【０００９】
本発明における自在ドレンを構成している内円筒体および外円筒体の材質は、合成樹脂、金属のどちらでもよい。
【００１０】
内円筒体のフランジには、その外周縁から円筒側にわたって切り欠き溝が設けられている。この切り欠き溝が存在していることで、軒樋の底部に形成された排水孔の周縁部に同様に設けられる切り欠き溝を利用して、軒樋の下方から内円筒体のフランジを軒樋内に差し込むことができる。フランジの厚みや幅はフランジの弾性変形を妨げないように決めればよい。
【００１１】
また、フランジの切り欠き溝の切り欠き方向は、フランジの外周縁の一点から、円筒の中心に向かう方向ないし円筒の外周面への接線方向の間に位置する向きにすればよい。なお、接線に近い方向に設けると、自在ドレンの取付作業を楽に行える。
【００１２】
切り欠き溝の長さは、内円筒体の円筒の外径および軒樋の底部に形成される排水孔の内径に応じて決めればよい。切り欠き溝は直線状でも曲線状でもよい。
【００１３】
なお、外円筒体のフランジ外径を内円筒体のフランジ外径よりも大きくすることで、軒樋側に設けた切り欠き溝が外円筒体のフランジにて覆われて見えず、自在ドレンの取り付け後の下方からの見栄えがよい。
【００１４】
軒樋側の切り欠き溝は、軒樋の底部に形成した排水孔の内周縁の一点から外方向に設ければよい。切り欠き溝の形状は直線状あるいは曲線状でもよい。その長さは、排水孔と同心で内円筒体のフランジの外径と同じ大きさの仮想円の円周位置以上とすればよい。このようにすれば、内円筒体フランジを軒樋側の切り欠き溝の奥まで完全に差し込んだ時に、内円筒体の円筒と排水孔とを略同心とすることができる。
【発明の効果】
【００１５】
請求項１記載の発明においては、内円筒体のフランジに、外周縁から円筒側に向かって切り欠き溝が設けられているので、軒樋の底部に形成された排水孔の周縁部にフランジと同様の切り欠き溝を設け、この両者の切り欠き溝を利用して、軒樋の下方から内円筒体を取り付けることができる。
【００１６】
請求項２記載の発明においては、外円筒体のフランジ外径が内円筒体のフランジ外径よりも大きくされているので、軒樋側に設ける切り欠き溝は外円筒体のフランジにて覆われる。このため、自在ドレン取付後に、軒樋側の切り欠き溝が地表側から見えず、軒先の外観の見栄えがよい。
【発明を実施するための最良の形態】
【００１７】
次に、本発明の自在ドレンを図面を参照して説明する。
図１は本発明の自在ドレンの一例を示す半縦断面図である。図２は図１の内円筒体の一例を示す平面図である。
【００１８】
図１に示すように、自在ドレン１は内円筒体２と外円筒体３とからなっている。内円筒体２は、円筒２１の外周面２１１に雄ねじを有し、かつ、円筒２１の一端に外向きにフランジ２２が設けられている。外円筒体３は、円筒３１の内周面３１１に雌ねじを有し、かつ、円筒３１の一端に外向きにフランジ３２が設けられている。雄ねじと雌ねじは互いに螺合するようになっている。内円筒体２および外円筒体３はともに硬質塩化ビニル樹脂製のものである。
【００１９】
図２に示すように、内円筒体２のフランジ２２には、その外周縁部２２１の一点から円筒２１の中心に向かって、直線状の切り欠き溝２３がフランジ２２幅全長にわたって設けられている。この切り欠き溝２３の幅ａ１は、後述する軒樋４の底部４１の厚みｔ２より少し大きくされている。
【００２０】
なお、切り欠き溝２３の方向は、図３に示すように、円筒２１の円周の接線方向であっても良い。また、切り欠き溝２３は、円筒２１側が狭く、フランジ２２の外周部に向かって徐々に広くされていると、自在ドレン１を軒樋４の底部４１に取り付ける際に、内円筒体２のフランジ２２の回転をより容易に行える。
【００２１】
フランジ切り欠き溝２３の側壁は、このフランジ切り欠き溝２３に排水孔５周縁部の軒樋４の底部４１が差し込まれ、かつ、フランジ２２と軒樋４の底部４１とが略平行とされてこれらが互いに摺動されるので、図４（ｂ）に示すように、フランジ２２の上下面に対して斜めになるように設けられると良い。斜めの角度は、フランジ２２の厚みや軒樋４の底部４１の厚みによって変化させればよく、状況に応じて直角を含め適宜適当な角度に変更して決められれば良い。
【００２２】
外円筒体３のフランジ３２の外径ｄ２は、図１に示すように、内円筒体２のフランジ２２の外径ｄ１よりも大きくされている。
【００２３】
図１の自在ドレン１を軒樋の底部に取り付ける手順の一例を図５を参照して説明する。まず、図５（ａ）に示すように、軒樋４の底部４１のドレン取り付け位置に、内円筒体２の円筒２１の外径と等しいか、あるいは少し大きい内径の排水孔５を設ける。この排水孔５の内周縁の一点から、排水孔と同心で内円筒体２のフランジ２２の外径と同じ大きさの仮想円の円周上まで、軒樋側の切り欠き溝５１を設ける。この切り欠き溝５１の幅ａ２は内円筒体２のフランジ２２の厚みｔ１よりも大きくする。
【００２４】
その際、内円筒体２側の切り欠き溝２３、軒樋４側の切り欠き溝５１を、図４（ａ）に示すように、フランジ面あるいは軒樋の底面に対して垂直に設けるよりも、図４（ｂ）に示すように、フランジ面あるいは軒樋の底面に対して斜めに設けると、両切り欠き溝２３、５１を利用しての内円筒体２の取り付けをより簡単にできる。
【００２５】
つぎに、図５（ｂ）に示すように、軒樋４の下方から、内円筒体２のフランジ２２を上側にして、フランジ２２を軒樋４の底部４１と平行にして排水孔５下面に沿わせる。軒樋側の切り欠き溝５１を捩り広げて、内円筒体２のフランジ２２を軒樋４の底部４１の軒樋側の切り欠き溝５１に差し込む。更に、フランジ２２側の切り欠き溝２３を捩り広げて、軒樋４の排水孔５１の内周面５１１に当て、軒樋４の底部４１を内円筒体２のフランジ切り欠き溝２３に差し込む。
【００２６】
内円筒体２のフランジ２２と軒樋４の底部４１とを、それぞれの切り欠き溝２３、５１の奥まで充分に差し込むと、内円筒体２の円筒２１が排水孔５と略同軸の位置にくる。なお、内円筒体２のフランジ２２と軒樋４の底部４１とは、それぞれ切り欠き溝５１又は切り欠き溝２３に差し込まれて捩られているが、内円筒体２のフランジ２２と軒樋２の底部４１とはいずれも強度と弾性変形に富んでいるので、捩られた変形形状は、内円筒体２の取り付け後は元の形状に戻る。
【００２７】
次いで、内円筒体２のフランジ２２と軒樋２の底部４１とをそれぞれ切り欠き溝２３、５１の奥まで押し込んだ状態で、内円筒体２の円筒２１を、フランジ２２の切り欠き溝２３の軒樋４の上方に位置する側を先頭にして回す。このように内円筒体２の円筒２１を回すと、フランジ２２の切り欠き溝２３は排水孔５の周縁部の内面を摺動しながら移動し、切り欠き溝２３の後側の内円筒体２のフランジ２２が、フランジの回転に連れて軒樋４側の切り欠き溝５１を通過し、内円筒体２のフランジ２２全体が軒樋４の底部４１の上方に移動する。
【００２８】
内円筒体２のフランジ２２全体が軒樋４の底部４１内面上に移動したら、軒樋４の排水孔５から下方に突出している内円筒体２の雄ねじに外円筒体３の雌ねじをねじ込み、両円筒体のフランジ２２，３２間にて軒樋４の排水孔５の周縁部を挟持することで自在ドレンの取り付けを完了する。
【００２９】
外円筒体３のフランジ３２の外径ｄ２が内円筒体２のフランジ２２の外径ｄ１よりも大きくされているので、自在ドレン１を軒樋４に取り付けた後、下から取付個所を見上げても、軒樋４側の切り欠き溝５１は見えず見栄えが良い。
【００３０】
なお、軒樋の内面に、あるいは軒樋と接する内円筒体のフランジ面に、接着剤あるいはシール材を塗布して内円筒体２の取付作業を行っても良く、外円筒体を内円筒体に螺合する時に、外円筒体のフランジ面と軒樋の底部との間に接着剤、シール材或いは止水パッキン等を併用して、止水を確実にしても良い。
【図面の簡単な説明】
【００３１】
【図１】本発明の自在ドレンの一例を示す半縦断面図である。
【図２】図１の内円筒体の一例を示す平面図である。
【図３】内円筒体の別の一例を示す平面図である。
【図４】両切り欠き溝の設け方を示す部分断面図であり、（ａ）は切り欠き溝を壁部に対して垂直に設けたもの、（ｂ）は切り欠き溝を壁部に対して斜めに設けたものである。
【図５】図１の自在ドレンを軒樋の底部に取り付ける手順の一例を示す工程説明図である。
【符号の説明】
【００３２】
１  自在ドレン
２  内円筒体
２１  円筒
２１１  外周面
２２  フランジ
２２１  外周縁
２３  切り欠き溝
３  外円筒体
３１  円筒
３１１  内周面
３２  フランジ
４  軒樋
４１  底部
５  排水孔
５１  切り欠き溝
ｄ１、ｄ２  フランジ外径
【図１】
2005344470.tif 000003
【図２】
2005344470.tif 000004
【図３】
2005344470.tif 000005
【図４】
2005344470.tif 000006
【図５】
2005344470.tif 000007